(57)【要約】      （修正有）【課題】薬液袋に対する穿刺及び上記薬液袋からの除去を容易に行うことができる薬液袋穿刺用治具を提供する。【解決手段】薬液袋に穿刺され薬液袋内の内容物を外部に流出させるスパイク１９と、スパイクに接続されたグリップ２１と、を具備し、グリップには把持用凹部２１ｃ１〜２１ｃ４が形成されている。【選択図】図２
0003176853.tif 000002
【実用新案登録請求の範囲】
【請求項１】
薬液袋に穿刺され該薬液袋内の薬液を外部に流出させるスパイクと、
上記スパイクに接続されたグリップと、
を具備したことを特徴とする薬液袋穿刺用治具。
【請求項２】
請求項１記載の薬液袋穿刺用治具において、
上記グリップの両端にはスパイク側鍔部と反スパイク側鍔部が設けられていることを特徴とする薬液袋穿刺用治具。
【請求項３】
請求項２記載の薬液袋穿刺用治具において、
上記グリップの上記スパイク側鍔部と反スパイク側鍔部の間には把持用凹部が形成されていることを特徴とする薬液袋穿刺用治具。
【請求項４】
請求項３記載の薬液袋穿刺用治具において、
上記把持用凹部が複数形成されていることを特徴とする薬液袋穿刺用治具。
【請求項５】
請求項４記載の薬液袋穿刺用治具において、
上記把持用凹部は上記スパイク側鍔部に寄った側に多く設けられていることを特徴とする薬液袋穿刺用治具。
【請求項６】
請求項５記載の薬液袋穿刺用治具において、
一部に非円形部を備えていることを特徴とする薬液袋穿刺用治具。
【請求項７】
請求項６記載の薬液袋穿刺用治具において、
上記スパイクとグリップは一体物であることを特徴とする薬液袋穿刺用治具。
【請求項８】
請求項７記載の薬液袋穿刺用治具において、
上記グリップの基端部には接続されるチューブの先端が嵌合される嵌合溝が形成されていることを特徴とする薬液袋穿刺用治具。
【考案の詳細な説明】
【技術分野】
【０００１】
本考案は、例えば、噴射装置に接続されるとともに薬液が収納された薬液袋に穿刺され上記噴射装置に薬液を供給する薬液袋穿刺用治具に係り、特に、上記薬液袋に対するスパイクの穿刺及び上記薬液袋からのスパイクの除去を容易に行うことができるように工夫したものに関する。
【背景技術】
【０００２】
従来、薬液袋から、例えば、噴射式の洗浄機に生理食塩水などの薬液を供給するためには、次のような治具が用いられていた。すなわち、上記洗浄機の供給口に接続されたチューブの反洗浄機側の端部に接続され、上記薬液袋に穿刺されるとともに上記チューブ内に上記薬液袋内の生理食塩水等の液体を流出させるスパイクが形成された治具が用いられていた。
また、特許文献１〜特許文献４においても、同様の構成の治具が記載されている。すなわち、特許文献１においてはチューブが接続された瓶針が薬瓶の栓部に穿刺されており、特許文献２においては生理食塩水パックにジョイントチューブが穿刺されており、特許文献３においては点滴液容器の首部空間室に薬液取出針が穿刺されており、特許文献４においては、輸液容器の密栓に連通針が穿刺されている。
【先行技術文献】
【特許文献】
【０００３】
【特許文献１】特開平１１−１２８３１９号公報
【特許文献２】特開２００９−１０１３３６号公報
【特許文献３】特開２０００−８４０７３号公報
【特許文献４】特開平８−２２９１０２号公報
【考案の概要】
【考案が解決しようとする課題】
【０００４】
上記従来の構成によると、次のような問題があった。
すなわち、前述したスパイク等の治具は細い上に小さいものであり、手等によって把持しにくく、薬液袋に上記スパイク等を穿刺する作業や、上記薬液袋から上記スパイクを除去する作業が行いにくいものとなっていた。
また、上記薬液袋に上記スパイク等を穿刺する作業や、上記薬液袋から上記スパイクを除去する作業にはある程度の力を要し、上記スパイク等が把持しにくいことにより、上記作業中に誤って上記手などを滑らせて上記スパイク等によって負傷することも懸念される。
【０００５】
本考案はこのような点に基づいて成されたもので、その目的とするところは、薬液袋に対するスパイクの穿刺及び上記薬液袋からのスパイクの除去を容易に行うことができる薬液袋穿刺用治具を提供することにある。
【課題を解決するための手段】
【０００６】
上記課題を解決するべく請求項１記載の薬液袋穿刺用治具は、薬液袋に穿刺され該薬液袋内の薬液を外部に流出させるスパイクと、上記スパイクに接続されたグリップと、を具備したことを特徴とするものである。
また、請求項２記載の薬液袋穿刺用治具は、請求項１記載の薬液袋穿刺用治具において、上記グリップの両端にはスパイク側鍔部と反スパイク側鍔部が設けられていることを特徴とするものである。
また、請求項３記載の薬液袋穿刺用治具は、請求項２記載の薬液袋穿刺用治具において、上記グリップの上記スパイク側鍔部と反スパイク側鍔部の間には把持用凹部が形成されていることを特徴とするものである。
また、請求項４記載の薬液袋穿刺用治具は、請求項３記載の薬液袋穿刺用治具において、上記把持用凹部が複数形成されていることを特徴とするものである。
また、請求項５記載の薬液袋穿刺用治具は、請求項４記載の薬液袋穿刺用治具において、上記把持用凹部は上記スパイク側鍔部に寄った側に多く設けられていることを特徴とするものである。
また、請求項６記載の薬液袋穿刺用治具は、請求項５記載の薬液袋穿刺用治具において、一部に非円形部を備えていることを特徴とするものである。
また、請求項７記載の薬液袋穿刺用治具は、請求項６記載の薬液袋穿刺用治具において、上記スパイクとグリップは一体物であることを特徴とするものである。
また、請求項８記載の薬液袋穿刺用治具は、請求項７記載の薬液袋穿刺用治具において、上記グリップの基端部には接続されるチューブの先端が嵌合される嵌合溝が形成されていることを特徴とするものである。
【考案の効果】
【０００７】
以上述べたように、請求項１記載の考案による薬液袋穿刺用治具は、薬液袋に穿刺され該薬液袋内の薬液を外部に流出させるスパイクと、上記スパイクに接続されたグリップと、を具備しているため、上記グリップによって上記薬液袋穿刺用治具を手等によって確実に把持することができ、上記薬液袋穿刺用治具を上記薬液袋に穿刺する作業や上記薬液袋穿刺用治具を上記薬液袋から除去する作業を容易に行うことができる。
また、請求項２記載の薬液袋穿刺用治具は、請求項１記載の薬液袋穿刺用治具において、上記グリップの両端にはスパイク側鍔部と反スパイク側鍔部が設けられたものであるため、上記薬液袋穿刺用治具を上記薬液袋に穿刺する作業や上記薬液袋穿刺用治具を上記薬液袋から除去する作業をより容易に行うことができる。
また、請求項３記載の薬液袋穿刺用治具は、請求項２記載の薬液袋穿刺用治具において、上記グリップの上記スパイク側鍔部と反スパイク側鍔部の間には把持用凹部が形成されているものであるため、上記グリップは手などによってより把持しやすいものとなり、上記薬液袋穿刺用治具を上記薬液袋に穿刺する作業や上記薬液袋穿刺用治具を上記薬液袋から除去する作業を更に容易に行うことができる。
また、請求項４記載の薬液袋穿刺用治具は、請求項３記載の薬液袋穿刺用治具において、上記把持用凹部が複数形成されているものであるため、上記グリップを手などによって確実に把持することができる。
また、請求項５記載の薬液袋穿刺用治具は、請求項４記載の薬液袋穿刺用治具において、上記把持用凹部は上記スパイク側鍔部に寄った側に多く設けられているものであるため、より強い力を要する上記薬液袋穿刺用治具を上記薬液袋に穿刺する作業を容易に行うことができる。
また、請求項６記載の薬液袋穿刺用治具は、請求項５記載の薬液袋穿刺用治具において、一部に非円形部を備えているため、例えば、卓上に載置した際に転がりにくく、不用意に床等に落下して汚染されてしまうことを防ぐことができる。
また、請求項７記載の薬液袋穿刺用治具は、請求項６記載の薬液袋穿刺用治具において、上記スパイクとグリップは一体物であるため、上記薬液袋穿刺用治具を使用する際に組立作業を行わずに済む。
また、請求項８記載の薬液袋穿刺用治具は、請求項７記載の薬液袋穿刺用治具において、上記グリップの基端部には接続されるチューブの先端が嵌合される嵌合溝が形成されているため、容易に上記チューブを上記薬液袋穿刺用治具に対して接続することができる。
【図面の簡単な説明】
【０００８】
【図１】本考案の第１の実施の形態を示す図で、本実施の形態による薬液袋穿刺用治具の使用状態を示す図である。
【図２】本考案の第１の実施の形態を示す図で、本実施の形態による薬液袋穿刺用治具を示す斜視図である。
【図３】本考案の第１の実施の形態を示す図で、図３（ａ）は本実施の形態による薬液袋穿刺用治具を示す側面図、図３（ｂ）は本実施の形態による薬液袋穿刺用治具を示す平面図、図３（ｃ）は本実施の形態による薬液袋穿刺用治具を示す底面図である。
【図４】本考案の第１の実施の形態を示す図で、図４（ａ）は本実施の形態による薬液袋穿刺用治具を示す正面図、図４（ｂ）は本実施の形態による薬液袋穿刺用治具を示す背面図、図４（ｃ）は図４（ａ）におけるｃ−ｃ断面図である。
【図５】本考案の第１の実施の形態を示す図で、図５（ａ）は本実施の形態による薬液袋穿刺用治具にチューブを接続した状態を示す正面図、図５（ｂ）は図５（ａ）におけるｂ−ｂ断面図である。
【図６】本考案の第１の実施の形態を示す図で、図６（ａ）は本実施の形態による薬液袋穿刺用治具のスパイクにキャップを被せた状態を示す正面図、図６（ｂ）は図６（ａ）におけるｂ−ｂ断面図である。
【図７】本考案の第２の実施の形態を示す図で、本実施の形態による薬液袋穿刺用治具を示す斜視図である。
【図８】本考案の第２の実施の形態を示す図で、図８（ａ）は本実施の形態による薬液袋穿刺用治具を示す側面図、図８（ｂ）は本実施の形態による薬液袋穿刺用治具を示す平面図、図８（ｃ）は本実施の形態による薬液袋穿刺用治具を示す底面図である。
【図９】本考案の第２の実施の形態を示す図で、図９（ａ）は本実施の形態による薬液袋穿刺用治具を示す正面図、図９（ｂ）は本実施の形態による薬液袋穿刺用治具を示す背面図、図９（ｃ）は図９（ａ）におけるｃ−ｃ断面図である。
【図１０】本考案の第２の実施の形態を示す図で、図１０（ａ）は本実施の形態による薬液袋穿刺用治具のスパイクにキャップを被せた状態を示す正面図、図１０（ｂ）は図１０（ａ）におけるｂ−ｂ断面図である。
【図１１】本考案のその他の実施の形態を示す図で、本実施の形態による薬液袋穿刺用治具を示す斜視図である。
【考案を実施するための形態】
【０００９】
以下、図１乃至図６を参照して、本考案の第１の実施の形態について説明する。
本実施の形態による薬液袋穿刺用治具１は、図１に示すような形態で使用される。
まず、薬液袋３がある。図１に示すように、本実施の形態の場合においては、１つの上記薬液袋３が設置されている。
上記薬液袋３は、袋体３ａと、この袋体３ａの基端側（図１中下側）に設けられた栓部３ｂとから構成されている。また、上記袋体３ａの先端側（図１中上側）には、上記薬液袋３を吊り下げるための吊下用貫通孔３ｃが設けられている。
【００１０】
上記袋体３ａの内部には薬液として、例えば、生理食塩水５が保持されている。この生理食塩水５は、未使用時においては上記栓部３ｂによって上記袋体３ａに封入されている。上記栓部３ｂは上記袋体３ａの内部と外部とを隔離しており、その複数箇所（本実施の形態においては３箇所）が肉薄に構成されている。
【００１１】
また、図１に示すように、上記袋体３ａの栓部３ｂには、上記薬液袋穿刺用治具１が穿刺されている。上記薬液袋穿刺用治具１は、上記栓部３ｂを貫通して上記袋体３ａ内部にまで達している。また、上記薬液袋穿刺用治具１は、上記栓部３ｂの肉薄部分の何れかに穿刺される。
また、上記薬液袋３内の生理食塩水５がなくなれば、上記薬液袋３を生理食塩水５が充てんされた新たな薬液袋３に交換することとなる。
なお、上記薬液袋穿刺用治具１の詳細な構成については後述する。
【００１２】
また、上記薬液袋穿刺用治具１の基端側（図１中下側）にはチューブ７が接続されている。上記生理食塩水５は上記薬液袋穿刺用治具１を介して上記チューブ７内に流入する。なお、上記薬液袋穿刺治具１と上記チューブ７の接続についての詳細は後述する。
【００１３】
また、上記チューブ７には、チューブクランプ８が設置されている。このチューブクランプ８の内側には貫通孔８ａが形成されており、上記チューブ７をこの貫通孔８ａを貫通している。また、上記貫通孔８ａは幅広部８ｂと幅狭部８ｃとから構成されている。上記チューブ７が上記幅広部８ｂ内に貫通されているときは上記チューブ７が変形されず、上記チューブクランプ８が設置された箇所において上記生理食塩水５の流通が許可される。しかし、上記チューブ７が上記幅狭部８ｃ内に貫通されているときは上記チューブ７が押し潰され、上記チューブクランプ８が設置された箇所において上記生理食塩水５の流通が禁止されることとなる。
【００１４】
また、上記チューブ７の反薬液袋穿刺用治具１側（図１中右側）の端部は、洗浄機１３に接続されている。この洗浄機１３は、上記薬液袋３から上記薬液袋穿刺用治具１、上記チューブ７を介して供給された上記生理食塩水５を噴射し、図示しない患者の患部の洗浄等を行うものである。
また、上記洗浄機１３にはケーブル１５を介して電池パック１７が接続されている。上記洗浄機１３は上記電池パック１７から電力を供給されている。
また、上記洗浄機１３には上記薬液袋３から供給された生理食塩水５を噴射するだけでなく、洗浄後の汚水を吸引するようになっている。そのため、上記洗浄機１３には、図示しないポンプに接続された吸引用チューブ１８も接続されている。
【００１５】
上記薬液袋穿刺用治具１は、次のような構成を成している。
まず、上記薬液袋穿刺用治具１にはスパイク１９が設けられている。このスパイク１９は、図２乃至図４に示すように、先端部（図３中右側端部）に傾斜面１９ａが形成された尖った形状を成している。そして、上記スパイク１９によって、上記薬液袋３の栓部３ｂが穿刺されることになる。
また、図３（ｃ）や図４（ａ）、及び、図４（ｃ）に示すように、上記スパイク１９には貫通孔１９ｂが形成されている。上記薬液袋穿刺用治具１が上記薬液袋３に穿刺されたとき、上記貫通孔１９ｂ内に上記生理食塩水５が流入することになる。
また、上記スパイク１９は基部側（図３中左側）に向かうほど径が若干大きくなるように形成されている。また、上記スパイク１９の基部（図３中左側）は略円柱形形状に形成されており、キャップ用係合部１９ｃが形成されている。
【００１６】
また、上記薬液袋穿刺用治具１にはグリップ２１が設けられている。このグリップ２１は上記スパイク１９と一体に形成されたものであり、図４（ｃ）に示すように、長さ方向（図４（ｃ）中左右方向）に延長された貫通孔２１ａが形成されている。この貫通孔２１ａは上記スパイク１９の貫通孔１９ｂと連通されており、上記貫通孔１９ｂ内の上記生理食塩水５が上記貫通孔２１ａ内にも流入することになる。また、図４（ｃ）に示すように、上記貫通孔２１ａは上記貫通孔１９ｂよりも径が大きいものとなっている。
また、図４（ｂ）や図４（ｃ）に示すように、上記グリップ２１の基端側（図４（ｃ）中左側）には、チューブ用嵌合溝２１ｂが形成されている。このチューブ用嵌合溝２１ｂは略円形に形成された溝である。上記チューブ用嵌合溝２１ｂには、図５（ａ）及び図５（ｂ）に示すように、チューブ７の端部側が嵌合され、これによって上記薬液袋穿刺用治具１と上記チューブ７とが接続される。
【００１７】
また、図２、図３、及び、図４（ｃ）に示すように、上記グリップ２１の外周側には把持用凹部２１ｃ１、２１ｃ２、２１ｃ３、２１ｃ４が形成されている。上記把持用凹部２１ｃ１は上記グリップ２１の先端側（図４（ｃ）中右側）に形成されており、上記把持用凹部２１ｃ１の基端側（図４（ｃ）中左側）に隣接して上記把持用凹部２１ｃ２が形成されている。また、上記把持用凹部２１ｃ３は上記把持用凹部２１ｃ２の基端側（図４（ｃ）中左側）に隣接して形成されたものである。また、上記把持用凹部２１ｃ１は、上記把持用凹部２１ｃ２、２１ｃ３に比べて、その長さ（図４（ｃ）中左右方向の長さ）が大きく設定されている。また、上記把持用凹部２１ｃ２、２１ｃ３の長さ（図４（ｃ）中左右方向の長さ）は略同じに設定されている。
【００１８】
また、上記把持用凹部２１ｃ４は上記グリップ２１の基端側（図４（ｃ）中左側）の上記把持用凹部２１ｃ３から離間した位置に形成されているものである。
すなわち、上記把持用凹部２１ｃ１、２１ｃ２、２１ｃ３は上記グリップ２１の先端側（図４（ｃ）中右側）に偏って配置されており、上記把持用凹部２１ｃ４は上記グリップ２１の基端側（図４（ｃ）中左側）に偏って配置されているものである。また、上記グリップ２１の先端側（図４（ｃ）中右側）には、上記グリップ２１の基端側（図４（ｃ）中左側）よりも多くの把持用凹部が形成されていることになる。
【００１９】
また、上記把持用凹部２１ｃ１の底部２２ａ（最も径が小さい部分）は略円柱形状となっている。また、上記把持用凹部２１ｃ３と上記把持用凹部２１ｃ４との間は、上記把持用凹部２１ｃ１、２１ｃ２間の凸部２２ｂや、上記把持用凹部２１ｃ２、２１ｃ３間の凸部２２ｃの径よりも若干小さい径の略円柱形状にて形成された凸部２２ｄとなっている。
【００２０】
また、上記グリップ２１の長さ方向両端（図４（ｃ）中左右両端）には、それぞれ、鍔部２３ａ、２３ｂが形成されている。上記鍔部２３ａは上記把持用凹部２１ｃ１の先端側（図４（ｃ）中右側）に隣接して上記把持用凹部２１ｃ１と連続して形成されたものである。また、鍔部２３ｂは上記把持用凹部２１ｃ４の基端側（図４（ｃ）中左側）に隣接して上記把持用凹部２１ｃ４と連続して形成されたものである。また、上記鍔部２３ｂの長さ（図４（ｃ）中符号Ｌ１で示す）は、上記鍔部２３ａの長さ（図４（ｃ）中符号Ｌ２で示す）よりも長くなっている。
また、上記鍔部２３ａ、２３ｂの径は、上記凸部２２ｂ、２２ｃの径よりも大きいものとなっている。
また、上記グリップ２１の上記鍔部２３ａと上記鍔部２３ｂの間の長さ（図４（ｃ）中符号Ｌ３で示す）は、人間の手で握ることができる程度のものとなっている。
【００２１】
また、非使用状態においては、図６に示すように、上記薬液袋穿刺用治具１のスパイク１９にはキャップ２５が被冠される。このキャップ２５の内周面の出口側（図６（ｂ）中左側）が上記スパイク１９のキャップ用係合部１９ｃに係合されることで、上記キャップ２５が上記スパイク１９に対して保持されるようになっている。
なお、上記薬液袋穿刺用治具１やキャップ２５は、例えば、樹脂製である。
【００２２】
次に、本実施の形態による薬液袋穿刺用治具１の作用について説明する。
前述したように、上記薬液袋穿刺用治具１は薬液袋３に穿刺されるとともに、チューブ７が接続された状態で使用される。上記薬液袋穿刺用治具１は次のような手順で薬液袋３に穿刺される。
まず、上記薬液袋穿刺用治具１のチューブ用嵌合溝２１ｂに上記チューブ７の一端側が係合され、これによって、上記薬液袋穿刺用治具１に上記チューブ７が接続される。
そして、上記チューブ７が接続された上記薬液袋穿刺用治具１のスパイク１９を上記薬液袋３の栓部３ｂに穿刺する。
【００２３】
このようにして上記薬液袋穿刺用治具１を扱う際には、上記薬液袋穿刺用治具１のグリップ２１が手等によって把持されることになる。特に、上記グリップ２１に形成された把持用凹部２１ｃ１、２１ｃ２、２１ｃ３、２１ｃ４によって、上記グリップ２１が手の指等によって把持されやすくなっている。
また、上記グリップ２１には鍔部２３ａが形成されており、上記薬液袋穿刺用治具１を上記薬液袋３に穿刺する際には、上記鍔部２３ａの下側（図４中左側）を上記手等によって付勢することになる。また、このとき、上記把持用凹部２１ｃ１、２１ｃ２、２１ｃ３、２１ｃ４のうち、特に上記把持用凹部２１ｃ１、２１ｃ２、２１ｃ３も用いられることになる。
【００２４】
また、上記薬液袋穿刺用治具１を上記薬液袋３から除去する場合にも、上記グリップ２１が上記手等によって把持される。
また、上記グリップ２１には鍔部２３ｂが形成されており、上記薬液袋穿刺用治具１を上記薬液袋３から取り外す際には、上記鍔部２３ｂの上側（図４中右側）を上記手等によって付勢することになる。また、このとき、上記把持用凹部２１ｃ１、２１ｃ２、２１ｃ３、２１ｃ４のうち、特に上記把持用凹部２１ｃ４も用いられることになる。
【００２５】
また、上記薬液袋穿刺用治具１を使用しない場合は、上記スパイク１９にキャップ２５が被冠される。これによって、上記スパイク１９の先端部分を保護するとともに、上記スパイク１９が不用意に周囲の物体に突き刺さらないようにしている。
【００２６】
次に、本実施の形態による薬液袋穿刺用治具１の効果について説明する。
まず、上記薬液袋穿刺用治具１にはグリップ２１が設けられているため、このグリップ２１を手等によって把持することで、上記薬液袋穿刺用治具１を薬液袋３に穿刺することや上記薬液袋３から穿刺された上記薬液袋穿刺用治具１を除去することが容易となる。
特に、上記グリップ２１には、把持用凹部２１ｃ１、２１ｃ２、２１ｃ３、２１ｃ４が形成されているとともに、この把持用凹部２１ｃ１、２１ｃ２、２１ｃ３、２１ｃ４が形成されている上記グリップ２１の鍔部２３ａと鍔部２３ｂの間の長さ（図４（ｃ）中符号Ｌ３で示す）が人間の手で握ることができる程度のものとなっているため、上記グリップ２１を手等によって容易に把持することができるようになっている。
【００２７】
また、上記グリップ２１には鍔部２３ａや鍔部２３ｂが形成されているため、この鍔部２３ａや鍔部２３ｂを利用することで、上記薬液袋穿刺用治具１を薬液袋３に穿刺することや上記薬液袋３から穿刺された上記薬液袋穿刺用治具１を除去することを更に容易に行うことができる。また、上記把持用凹部２１ｃ１、２１ｃ２、２１ｃ３、２１ｃ４のうち、上記把持用凹部２１ｃ１、２１ｃ２、２１ｃ３が上記グリップ２１の先端側（図４（ｃ）中右側）、すなわち、上記鍔部２３ａ側に偏って配置されているため、上記鍔部２３ａとともに上記把持用凹部２１ｃ１、２１ｃ２、２１ｃ３も利用することで、特に強い力を要する上記薬液袋穿刺用治具１を薬液袋３に穿刺する作業を確実且つ容易に行うことができるようになっている。
また、上記薬液袋穿刺用治具１を薬液袋３に穿刺することや上記薬液袋３から穿刺された上記薬液袋穿刺用治具１を除去するが容易に行うことが出来るため、上記薬液袋３の交換を迅速に行うことが可能となる。
【００２８】
また、上記グリップ２１にはチューブ用嵌合溝２１ｂが形成されているため、上記薬液袋穿刺用治具１に対してチューブ７を容易に接続することができる。
また、非使用状態においては、上記スパイク１９にキャップ２５が被冠されるため、上記スパイク１９の先端部分を保護することができるとともに、上記スパイク１９が不用意に周囲の物体に突き刺さらないようにすることができる。
また、上記薬液袋穿刺用治具１は、スパイク１９とグリップ２１とが一体となっているため、組立作業を要することなく、容易に使用することができる。
【００２９】
次に、図７乃至図１０を参照して、本考案の第２の実施の形態について説明する。
本実施の形態による薬液袋穿刺用治具２７も、前述した本考案の第１の実施の形態における薬液袋穿刺用治具１と同様にして用いられるものである。
まず、上記薬液袋穿刺用治具２７は、図７乃至図９に示すように、スパイク２９が設けられている。このスパイク２９は、図７乃至図９に示すように、先端部（図３中右側端部）に傾斜面２９ａが形成された尖った形状を成している。そして、上記スパイク２９によって、薬液袋３の栓部３ｂが穿刺されることになる。
【００３０】
また、図８（ｃ）や図９（ａ）、及び、図９（ｃ）に示すように、上記スパイク２９には貫通孔２９ｂが形成されている。上記薬液袋穿刺用治具２７が上記薬液袋３に穿刺されたとき、上記貫通孔２９ｂ内に生理食塩水５が流入することになる。
また、上記スパイク２９は、長さ方向（図９（ｃ）中左右方向）中央付近までは、基端側（図８中左側）に向かうほど径が若干大きくなるように形成されている。また、上記スパイク２９の長さ方向（図９（ｃ）中左右方向）中央付近には略円柱形状に形成されたキャップ用係合部２９ｃとなっている。
【００３１】
また、上記キャップ係合部２９ｃの基端側（図８中左側）にはスパイク用鍔部２９ｄが形成されている。このスパイク用鍔部２９ｄは、図７や図９（ａ）に示すように、略八角形状の板状部材であり、その図９（ａ）中上下方向の幅は後述するグリップ３１の径よりも大きく設定されている。
また、図９（ｃ）に示すように、上記スパイク用鍔部２９ｄの基端側（図９（ｃ）中左側）には、略円柱形状のグリップ用接続部２９ｅが形成されている。このグリップ用接続部２９ｅの外径は、後述するグリップ３１の貫通孔３１ａの径よりも若干小さくなるように設定されている。
【００３２】
また、上記薬液袋穿刺用治具２７にはグリップ３１が設けられている。このグリップ３１は、前述した第１の実施の形態における薬液袋穿刺用治具１の場合とは異なり、上記スパイク２９とは別体として設けられた部材となっている。また、図９（ｃ）に示すように、上記グリップ３１には、その長さ方向（図９（ｃ）中左右方向）に延長された貫通孔３１ａが形成されている。そして、この貫通孔３１ａには上記グリップ３１の先端側（図９（ｃ）中右側）から上記スパイク２９のグリップ用接続部２９ｅが挿入される。
【００３３】
また、上記貫通孔３１ａには上記グリップ３１の基端側（図９（ｃ）中左側）からチューブ７が挿入される。このチューブ７の先端側（図９（ｃ）中右側）は上記グリップ用接続部２９ｅと上記貫通孔３１ａの内周面との間に挿入されている。これは、言い換えれば、上記貫通孔３１ａ内に挿入された上記チューブ７内に上記グリップ用接続部２９ｅが圧入されていることになり、上記グリップ用接続部２９ｅの外周面が上記チューブ７を介して上記貫通孔３１ａの内周面を付勢し、これによって上記スパイク２９及び上記チューブ７が上記グリップ３１に対して固定されることになる。
また、上記貫通孔３１ａの基端側（図９（ｃ）中左側）は、テーパ部３１ｂが形成されている。
【００３４】
また、上記グリップ３１の外周側には、前述した第１の実施の形態におけるグリップ２１の把持用凹部２１ｃ１、２１ｃ２、２１ｃ３、２１ｃ４と同様の把持用凹部３１ｃ１、３１ｃ２、３１ｃ３、３１ｃ４が形成されている。よって、上記把持用凹部３１ｃ１にも前述した第１の実施の形態におけるグリップ２１の把持用凹部２１ｃ１と同様に、略円柱形状の底部３２ａが形成されている。また、前述した第１の実施の形態におけるグリップ２１の凸部２２ｂや凸部２２ｃと同様の凸部３２ｂや凸部３２ｃが形成されているとともに、前述した第１の実施の形態におけるグリップ２１の凸部２２ｄと同様の凸部３２ｄも形成されていることになる。
【００３５】
また、上記グリップ３１の長さ方向両端（図９（ｃ）中左右両端）には、それぞれ、鍔部３３ａ、３３ｂが形成されている。上記鍔部３３ａは前述した第１の実施の形態におけるグリップ２１の鍔部２３ａと同様のものであり、上記鍔部３３ｂは前述した第１の実施の形態におけるグリップ２１の鍔部２３ｂと同様のものである。そのため、また、上記鍔部３３ｂの長さ（図９（ｃ）中符号Ｌ４で示す）は、上記鍔部３３ａの長さ（図４（ｃ）中符号Ｌ５で示す）よりも長くなっている。
また、上記グリップ３１の上記鍔部３３ａと上記鍔部３３ｂの間の長さ（図９（ｃ）中符号Ｌ６で示す）も、前述した第１の実施の形態におけるグリップ２１と同様に、人間の手で握ることができる程度のものとなっている。
【００３６】
また、非使用状態においては、図１０に示すように、前述した第１の実施の形態の場合と同様に、上記薬液袋穿刺用治具２７のスパイク２９にもキャップ２５が被冠される。本実施の形態の場合も、上記キャップ２５の内周面の出口側（図６（ｂ）中左側）が上記スパイク２９のキャップ用係合部２９ｃに係合されることで、上記キャップ２５が上記スパイク２９に対して保持されるようになっている。
なお、本実施の形態の場合も、上記薬液袋穿刺用治具２７やキャップ２５は、例えば、樹脂製である。
【００３７】
次に、本実施の形態による薬液袋穿刺用治具２７の作用について説明する。
本実施の形態においても、上記薬液袋穿刺用治具２７は薬液袋３に穿刺されるとともに、チューブ７が接続された状態で使用される。上記薬液袋穿刺用治具２７は次のような手順で組み立てられてチューブ７に接続されるとともに薬液袋３に穿刺される。
まず、図９（ｃ）に示すように、グリップ３１の基端側（図９（ｃ）中左側）から貫通孔３１ａ内にチューブ７を挿入し、このチューブ７の先端面（図９（ｃ）中右側端面）が上記貫通孔３１ａの先端側（図９（ｃ）中右側端）の開口部に達するまで前進（図９（ｃ）中右側へ移動）させる。
そして、上記グリップ３１の先端側（図９（ｃ）中右側）から上記チューブ７内に、スパイク２９のグリップ用接続部２９ｅを圧入する。これによって、上記スパイク２９及び上記チューブ７が上記グリップ３１に対して固定された状態となる。
【００３８】
そして、上記チューブ７が接続された上記薬液袋穿刺用治具２７のスパイク２９を薬液袋３の栓部３ｂに穿刺する。
その際、前述した第１の実施の形態の場合と同様に、上記薬液袋穿刺用治具２７のグリップ３１が手等によって把持されることになる。また、このとき、上記グリップ３１の把持用凹部３１ｃ１、３１ｃ２、３１ｃ３、３１ｃ４も、前述した第１の実施の形態におけるグリップ２１の把持用凹部２１ｃ１、２１ｃ２、２１ｃ３、２１ｃ４と同様に作用する。
また、上記グリップ３１の鍔部３３ａも、前述した第１の実施の形態におけるグリップ２１の鍔部２３ａと同様に作用する。
【００３９】
また、上記薬液袋穿刺用治具２７を上記薬液袋３から除去する場合にも、前述した第１の実施の形態におけるグリップ２１や鍔部２３ｂ及び把持用凹部２１ｃ１、２１ｃ２、２１ｃ３、２１ｃ４と同様に上記グリップ３１や鍔部３３ｂ及び把持用凹部３１ｃ１、３１ｃ２、３１ｃ３、３１ｃ４が作用する。
また、本実施の形態の場合には、上記スパイク２９にはスパイク用鍔部２９ｄが形成されており、上記薬液袋穿刺用治具２７を上記薬液袋３から除去する際に、上記スパイク用鍔部２９ｄの先端側の面（図９（ｃ）中右側の面）を手等によって付勢することで上記薬液袋穿刺用治具２７を付勢することもできるようになっている。
【００４０】
また、上記薬液袋穿刺用治具２７を使用しない場合は、前述した第１の実施の形態の場合と同様に、上記スパイク２９にキャップ２５が被冠される。これによって、上記スパイク２９の先端部分を保護するとともに、上記スパイク２９が不用意に周囲の物体に突き刺さらないようにしている。
【００４１】
次に、本実施の形態による薬液袋穿刺用治具２７の効果について説明する。
上記薬液袋穿刺用治具２７にもグリップ３１があり、このグリップ３１の外周面には前述した第１の実施の形態におけるグリップ２１の把持用凹部２１ｃ１、２１ｃ２、２１ｃ３、２１ｃ４や鍔部２３ａ、２３ｂ等と同様の把持用凹部３１ｃ１、３１ｃ２、３１ｃ３、３１ｃ４や鍔部３３ａ、３３ｂが形成されている。そのため、第１の実施の形態による薬液袋穿刺用治具１と同様に、上記薬液袋穿刺用治具２７も手で把持しやすいものとなっており、上記薬液袋穿刺用治具２７を薬液袋３に穿刺することや上記薬液袋３から穿刺された上記薬液袋穿刺用治具１を除去することが容易となっている。また、上記把持用凹部３１ｃ１、３１ｃ２、３１ｃ３が上記グリップ３１の先端側（図９（ｃ）中右側）に偏って配置されているため、特に強い力を要する上記薬液袋穿刺用治具２７を薬液袋３に穿刺する作業を確実且つ容易に行えるようになっている点についても同様である。
【００４２】
また、本実施の形態においては、スパイク２９にスパイク用鍔部２９ｄが形成されているため、上記スパイク２９をグリップ３１に取り付ける作業や、上記スパイク２９を上記グリップ３１から除去する作業を行い易くなっている。また、上記薬液袋穿刺用治具２７を上記薬液袋３から除去する際に、上記スパイク用鍔部２９ｄの先端側の面（図９（ｃ）中右側の面）を手等によって付勢することで上記薬液袋穿刺用治具２７を付勢することもできるようになっており、このことによっても、上記薬液袋穿刺用治具２７を上記薬液袋３から除去する作業が行い易いものとなっている。
【００４３】
また、上記スパイク用鍔部２９ｄは略八角形状の板状部材であるため、上記薬液袋穿刺用治具２７や上記グリップ３１から取り外した上記スパイク２９を、例えば、卓上に載置した場合、不用意に転がってしまうことを防止することができる。このことにより、上記薬液袋穿刺用治具２７や上記スパイク２９が、例えば、床に落下して汚染されてしまうことを防ぐことができる。
【００４４】
なお、本願考案は、前述した第１の実施の形態や第２の実施の形態のものに限られない。例えば、前述した第１の実施の形態や第２の実施の形態においては、１つの薬液袋３とチューブ７、及び、薬液袋穿刺用治具１、２７を用いていたが、複数の薬液袋３とチューブ７、及び、薬液袋穿刺用治具１、２７を用いることも考えられる。その際、複数のチューブ７内を流通する生理食塩水５を洗浄機１３が接続された１つのチューブに合流させるためのコネクタが用いられることも考えられる。
【００４５】
また、前述した第１の実施の形態による薬液袋穿刺用治具１のように、スパイクとグリップが一体となったものであっても、外周側の一部を第2の実施の形態におけるスパイク用鍔部２９ｄのように非円形状の転がり防止部とすることで不用意に転がってしまうことを防止することも考えられる。
また、上記スパイク用鍔部２９ｄや上記転がり防止部は、非円形形状であれば、様々な形状が考えられる。例えば、円形形状の外周側の一箇所又は複数箇所を切欠いたような形状のものが考えられ、図１１に示すように、上記薬液袋穿刺用治具２７の上記スパイク用鍔部２９ｄとして、円板形状部材の外周側の一箇所を切り落とした形状のもの等が考えられる。
【００４６】
また、前述した第２の実施の形態による薬液袋穿刺用治具２７のように、スパイクとグリップを別体とした場合であっても、グリップの基端側にチューブの端部側が嵌合される嵌合溝を設ける場合が考えられる。
また、各部の形状や寸法、材質には様々な場合が考えられる。
【産業上の利用可能性】
【００４７】
本考案は、例えば、噴射装置に接続されるとともに薬液が収納された薬液袋に穿刺され上記噴射装置に薬液を供給する薬液袋穿刺用治具に係り、特に、上記薬液袋に対する穿刺及び上記薬液袋からの除去を容易に行うことができるように工夫したものに係り、例えば、生理食塩水パックに穿刺される穿刺用治具に好適である。
【符号の説明】
【００４８】
１  薬液袋穿刺用治具
１９  スパイク
２１  グリップ
２１ｂ  チューブ用嵌合溝
２１ｃ１  把持用凹部
２１ｃ２  把持用凹部
２１ｃ３  把持用凹部
２１ｃ４  把持用凹部
２３ａ  鍔部
２３ｂ  鍔部
２７  薬液袋穿刺用治具
２９  スパイク
２９ｄ  スパイク用鍔部
３１  グリップ
３１ｃ１  把持用凹部
３１ｃ２  把持用凹部
３１ｃ３  把持用凹部
３１ｃ４  把持用凹部
３３ａ  鍔部
３３ｂ  鍔部
【図１】
0003176853.tif 000003
【図２】
0003176853.tif 000004
【図３】
0003176853.tif 000005
【図４】
0003176853.tif 000006
【図５】
0003176853.tif 000007
【図６】
0003176853.tif 000008
【図７】
0003176853.tif 000009
【図８】
0003176853.tif 000010
【図９】
0003176853.tif 000011
【図１０】
0003176853.tif 000012
【図１１】
0003176853.tif 000013